(57)【要約】【課題】床材に膨れや剥がれを生じることがなく、床を改修する時には床下地から床材を容易に剥離して貼替えることができ、床材の位置決め作業や貼付け作業も容易に行える施工性に優れた床構造と、該床構造に用いる床材を提供する。【解決手段】床材本体２ａと、その下面に設けられた貼着剤層２ｂと、その下面に露出して設けられた網状体２ｃとを備えた床材２を作製し、この床材２を床下地１に重ねて、網状体２ｃを床下地１に接触させると共に、貼着剤層２ｂの貼着剤２１ｂが網状体２ｃの開口を通して床下地１に貼着した床構造とする。網状体２ｃによって、床材２の位置決め作業を容易にし、貼着強度を適正にし、貼替え時の床材２の剥離を容易かつ綺麗にし、網状体２ｃと床下地１の接触界面を水分等の通り道として床材２の膨れを防止する。【選択図】図１
2012158899.tif 000002
【特許請求の範囲】
【請求項１】
床下地に床材を貼付けた床構造であって、
上記床材は、床材本体と、この床材本体の下面に設けられた貼着剤層と、この貼着剤層の下面に露出して設けられた網状体とを備えたものであり、
上記床材の網状体が上記床下地に接触すると共に、上記床材の貼着剤層の貼着剤が網状体の開口を通して上記床下地に貼着していることを特徴とする床構造。
【請求項２】
前記床下地の表面に貼着性改良シートが接着固定され、前記床材の網状体が床下地表面の貼着性改良シートに接触すると共に、前記床材の貼着剤層の貼着剤が網状体の開口を通して床下地表面の貼着性改良シートに貼着していることを特徴とする請求項１に記載の床構造。
【請求項３】
床材貼付けの障害となる障害物が持上げ可能に設置された床下地に床材を貼付けた床構造であって、
上記床下地の障害物設置箇所及びその周辺箇所では、床材本体と、この床材本体の下面に設けられた貼着剤層と、この貼着剤層の下面に露出して設けられた網状体とを備えた一の床材が用いられ、該一の床材の網状体が床下地に接触すると共に、貼着剤層の貼着剤が網状体の開口を通して床下地に貼着して該一の床材が貼付けられており、
上記床下地のその他の箇所では、他の床材が床用接着剤で貼付けられており、  上記一の床材と上記他の床材との継目部分が封止されていることを特徴とする床構造。
【請求項４】
床材本体と、この床材本体の下面に設けられた貼着剤層と、この貼着剤層の下面に露出して設けられた網状体とを備えたことを特徴とする床材。
【請求項５】
前記網状体の下面に更に貼着性改良シートが設けられ、この貼着性改良シートが網状体の開口を通して前記貼着剤層の貼着剤で貼着されていることを特徴とする請求項４に記載の床材。
【発明の詳細な説明】
【技術分野】
【０００１】
本発明は、マンション、住宅、オフィス、店舗などの床、とりわけマンションの屋内外の廊下、階段、バルコニーなどの床に適した床構造と、これに用いる床材に関するものであり、更に詳しくは、床下地に貼付けた床材に膨れや剥がれを生じることがなく、しかも、床のリニューアル（改修）時には床下地から床材を容易に剥離して貼り替えることができる床構造と、これに用いる床材に関するものである。
【背景技術】
【０００２】
従来より、マンションの屋内外の廊下やバルコニーなどの床に床材を敷設施工する際には、床下地と床材との密着性を確保するため、通常、一液硬化型ポリウレタン接着剤や一液硬化型変成シリコーン接着剤などの床用接着剤を用いて、床材を強固に床下地に接着固定（貼着）している。
【０００３】
上記のように床材を床用接着剤で床下地に貼着すると、床下地と床材との密着性が向上し、優れた密着性が長期に亘って維持されるため、床材の敷設施工後に床下地から上がってくる湿気などによって床材の一部が膨れたり、床材の端縁が捲くれ上がったりする不具合を解消することが可能となる反面、床をリニューアル（改修）する際には、床下地から床材を簡単に剥離することができないため、改修作業の効率低下やコストアップを招く要因の一つとなっている。
【０００４】
これに対し、長尺床シートと床下地を接着した床構造体であって、長尺床シートと床下地との関係が、接着部分（ａ）と非接着部分（ｂ）よりなり、かつ非接着部分（ｂ）が連通している床構造体が知られている（特許文献１）。
【０００５】
このような床構造体は、床下地から上がってくる水分等が、連通している非接着部分（ｂ）を通じて排出されるため、長尺床シートの膨れを防止することが可能となる。けれども、床下地に塗布した床用接着剤の上に長尺床シートを重ねて貼付けるため、重ねた長尺床シートをずらせながら素早く位置決めすることが難しいという問題があり、また、長尺床シートを床用接着剤で貼付けてしまうと、接着部分の接着強度が大きいため、床をリニューアルする際に長尺床シートを剥がす作業がやはりし辛く、非接着部分と接着部分の境目で長尺床シートが破れ易いという問題もあった。また、エアコン室外機などの障害物が設置されているバルコニーや開放廊下などの床下地に床シートを貼付けたり剥がしたりする場合には、障害物を一時的に持上げ（吊上げ）て、床シートを素早く位置決めして貼付けたり、剥がしたりすることが求められるが、上記のように床用接着剤を床下地に塗布して床シートを部分的に接着して貼付ける床構造体では、一時的に障害物を持上げたまま、床シートを床下地の障害物設置箇所及びその周辺箇所に素早く位置決めして貼付けることも、素早く綺麗に剥がすこともできないという問題があった。
【先行技術文献】
【特許文献】
【０００６】
【特許文献１】特開２００７−２９７８６６号公報
【発明の概要】
【発明が解決しようとする課題】
【０００７】
本発明は上記事情の下になされたもので、その解決しようとする課題は、床下地に貼付けた床材に膨れや剥がれを生じることがなく、床をリニューアル（改修）する時には床下地から床材を容易に剥離して貼り替えることができ、床材の位置決め作業や貼付け作業も容易に行うことができる施工性に優れた床構造と、該床構造に用いる床材を提供することにある。
そして、障害物を一時的に持上げたまま、床材を床下地の障害物設置箇所及びその周辺箇所に素早く位置決めして貼付けたり、素早く綺麗に剥がしたりすることができる床構造を提供することも、解決課題としている。
【課題を解決するための手段】
【０００８】
上記課題を解決するため、本発明の請求項１に係る床構造は、床下地に床材を貼付けた床構造であって、上記床材は、床材本体と、この床材本体の下面に設けられた貼着剤層と、この貼着剤層の下面に露出して設けられた網状体とを備えたものであり、上記床材の網状体が上記床下地に接触すると共に、上記床材の貼着剤層の貼着剤が網状体の開口を通して上記床下地に貼着していることを特徴とするものである。
【０００９】
そして、請求項２に係る床構造は、請求項１の床構造において、前記床下地の表面に貼着性改良シートが接着固定され、前記床材の網状体が床下地表面の貼着性改良シートに接触すると共に、前記床材の貼着剤層の貼着剤が網状体の開口を通して床下地表面の貼着性改良シートに貼着していることを特徴とするものである。
【００１０】
また、請求項３に係る床構造は、床材貼付けの障害となる障害物が持上げ可能に設置された床下地に床材を貼付けた床構造であって、上記床下地の障害物設置箇所及びその周辺箇所では、床材本体と、この床材本体の下面に設けられた貼着剤層と、この貼着剤層の下面に露出して設けられた網状体とを備えた一の床材が用いられ、該一の床材の網状体が床下地に接触すると共に、貼着剤層の貼着剤が網状体の開口を通して床下地に貼着して該一の床材が貼付けられており、上記床下地のその他の箇所では、他の床材が床用接着剤で貼付けられており、上記一の床材と上記他の床材との継目部分が封止されていることを特徴とするものである。
【００１１】
更に、本発明の請求項４に係る床材は、床材本体と、この床材本体の下面に設けられた貼着剤層と、この貼着剤層の下面に露出して設けられた網状体とを備えたことを特徴とするものである。
そして、請求項５に係る床材は、請求項４の床材において、前記網状体の下面に更に貼着性改良シートが設けられ、この貼着性改良シートが網状体の開口を通して前記貼着剤層の貼着剤で貼着されていることを特徴とするものである。
【００１２】
尚、本明細書及び特許請求の範囲における「貼着剤」とは「接着剤」と「粘着剤」を総称した用語であり、「貼着」とは「接着」と「粘着」を総称した用語である。
【発明の効果】
【００１３】
本発明の請求項１に係る床構造のように、床下地に貼付けた床材が、床材本体と、この床材本体の下面に設けられた貼着剤層と、この貼着剤層の下面に露出して設けられた網状体とを備えた床材（即ち、本発明の請求項４に係る床材）であって、網状体が床下地に接触し、貼着剤層の貼着剤が網状体の開口を通して床下地に貼着した構造であると、床材（床材本体）は網状体の開口領域のみで貼着剤により部分的に床下地に貼着されるため、網状体における開口の占める面積比率を調節して床材の貼着強度を適切に設定することで、床材の剥離や床材端縁部の捲れ上がりを防止できるようになり、また、床をリニューアルするときには床材を容易に剥がすことができるようになる。特に、この床構造に用いる床材のように、粘着剤層の下面に網状体が設けられていると、床材を剥がすときに、網状体によって貼着剤層が下面側から補強されているため床下地側に貼着剤が部分的に残らずに綺麗に剥がすことができ、しかも、網状体によって床材自体も補強されるため、引剥がし力で床材を破ることなく容易に剥がすことができるようになる。
【００１４】
また、本発明の請求項１に係る床構造では、網状体と床下地との接触界面が、床下地から上昇する水分や、貼着剤層から揮発する溶剤、反応ガスなどの通り道となり、この接触界面を通って水分、溶剤、反応ガスなどが床材の裏面全体に拡散するので、床材に部分的な膨れが生じることもなくなる（公知の外部への排気手段を用いると、膨れの問題を解決することもできる）。
【００１５】
本発明の請求項１に係る床構造は、床下地の上に本発明の請求項４に係る床材を重ねて位置決めした後、床材を上から押圧して網状体を貼着剤層に沈ませながら、貼着剤層の貼着剤を網状体の開口を通して床下地に貼着させることにより、簡単に床材を床下地に貼付けて施工できるものである。即ち、床下地上に床材を単に重ねただけでは、床材の貼着剤層の下面に露出して設けられた網状体が貼着剤層と床下地との間に介在しているため、貼着剤層が床下地と実質的に非接触状態である（貼着剤層と床下地が接触したとしても限定的である）ことから、床下地と貼着剤層とは実質的に貼着しておらず、床材の位置決め作業や皺延ばし作業を容易に行うことができる。従って、本発明の請求項１に係る床構造は施工性が極めて良好である。
【００１６】
また、請求項２に係る床構造のように、床下地の表面に貼着性改良シートが接着固定され、床材の貼着剤層の貼着剤が網状体の開口を通して貼着性改良シートに貼着していると、床下地の表面状態が不良で貼着性に劣っていたり、床下地が材質の関係で貼着性に劣っている場合でも、貼着性改良シートによって床下地の貼着性が改善されるため、床材を適切な貼着強度で貼付けることが可能となる。
【００１７】
請求項２に係る床構造は、床下地の表面に貼着性改良シートを接着固定し、その上に本発明の請求項４に係る床材を貼付けて施工されるが、請求項４に係る床材の網状体の下面に更に貼着性改良シートを設けて貼着剤層の貼着剤で貼着した床材（即ち、請求項５に係る床材）を用いて、この床材を床下地に接着固定して施工してもよい。このように請求項５に係る床材を用いて施工すると、床下地に床材を貼付けるだけで、貼着性改良シートの接着作業と床材の貼付け作業を同時に行うことができるので、施工性が大幅に向上する。
【００１８】
また、床材貼付けの障害となる障害物が持上げ可能に床下地に設置されている場合、本発明の請求項３に係る床構造のように、床材本体と、この床材本体の下面に設けられた貼着剤層と、この貼着剤層の下面に露出して設けられた網状体とを備えた一の床材（即ち、請求項４に係る床材）が、床下地の障害物設置箇所及びその周辺箇所に貼付けられ、床下地のその他の箇所に他の床材が床用接着剤で貼付けられた構造にすると、一の床材（請求項４に係る床材）自体が、前述のように位置決め作業、貼付け作業、剥がし作業の容易なものであるため、障害物を一時的に持上げ（吊上げ）たまま、一の床材を床下地の障害物設置箇所及びその周辺箇所に素早く位置決めして貼付けたり、素早く綺麗に剥がしたりすることが可能となり、施工性が大幅に向上する。そして、一の床材と他の床材との継目部分は封止されているので、雨水等が継目部分から床下地へ浸透する心配もない。
【図面の簡単な説明】
【００１９】
【図１】本発明に係る床構造の一実施形態を示す部分断面図である。
【図２】同実施形態の床構造の床材を貼付ける前の状態を示す分解部分断面図である。
【図３】網状体の一例を示す部分斜視図である。
【図４】本発明に係る床構造の他の実施形態を示す部分断面図である。
【図５】同実施形態の床構造の床材を貼付ける前の状態を示す分解部分断面図である。
【図６】貼着性改良シートを床下地に残して床材を剥がした状態を示す同実施形態の床構造の分解部分断面図である。
【図７】本発明に係る床構造の更に他の実施形態を示す部分断面図である。
【発明を実施するための形態】
【００２０】
以下、図面に基づいて、本発明に係る床構造とそれに用いる床材の実施形態を詳細に説明する。
【００２１】
図１は本発明に係る床構造の一実施形態を示す部分断面図、図２は同実施形態の床構造の床材を貼付ける前の状態を示す分解部分断面図であって、１はコンクリート製の床下地、２は床材を示している。床下地１はコンクリート製のものに限定されず、金属製の床下地や木製の床下地であってもよい。また、本発明にいう「床下地」には、階段の下地なども含まれる。
【００２２】
この実施形態の床構造に使用される本発明の床材２は、図２に示すように、床材本体２ａと、この床材本体２ａの下面に設けられた貼着剤層２ｂと、この貼着剤層２ｂの下面に露出して設けられた網状体２ｃとを備えたものであり、長尺の床材でもタイル状の床材でもよい。長尺の床材の場合は、床材本体２ａの肉厚が１〜３ｍｍ程度、幅が５０〜２００ｃｍ程度のものが好ましく使用され、タイル状の床材の場合は、床材本体２ａの肉厚が１〜５ｍｍ程度、一辺の長さが１０〜５０ｃｍ程度のものが好ましく使用される（尚、タイル状の床材では矩形のタイル形状だけではなく、円形や多角形、不定形のものであってもよいことは、言うまでもない）。
【００２３】
上記の床材２は、図１に示すように床下地１の上に重ねられて位置決めされ、網状体２ｃが床下地１に接触すると共に、貼着剤層２ｂの貼着剤が網状体２ｃの開口２１ｃ（図２，図３を参照）を通して床下地１に貼着している。即ち、この床材２は、床下地１の上に重ねられて位置決めされた後、上方から押圧されて、網状体２ｃが図１に示すように貼着剤層２ｂに沈み込み、網状体２ｃの開口２１ｃを通して粘着剤層２ｂから床下地１側へ押し出された粘着剤２１ｂが床下地１に貼着することによって、床下地１に貼付けられている。
【００２４】
この床構造は、上記のように床材２が網状体２ｃの開口領域のみで貼着剤２１ｂにより部分的に床下地１に貼着されたものであるため、開口２１ｃの占める面積比率が異なる網状体２ｃを種々選択して床材２の貼着面積を調節することで、常時は床材２の剥離や捲れ上がりを生じないがリニューアル（貼替え）の際には容易に床材２を剥がすことができる適切な貼着強度（貼付け強度）で床材２が貼付けられており、また、貼着されない網状体２ｃと床下地１との接触界面は、床下地１から上昇する水分や、貼着剤層２から揮発する溶剤、反応ガスなどの通り道となっている。
【００２５】
上記床材２の床材本体２ａは合成樹脂やゴムのシートからなるもので、図１，図２では単層シートからなる床材本体２ａが図示されているが、単層シートに限定されるものではなく、表面層と裏面層を積層した二層シートや、表面層と中間層と裏面層を積層した三層シート、更には補強繊維層などを挟み込んだ積層シート等からなる床材本体であってもよい。また、表面に滑止め用の多数の小突起を形成した床材本体や、着色模様や図柄を形成した床材本体なども好ましく使用される。床材本体２ａの好ましい材料樹脂としては、軟質塩化ビニル樹脂や、ポリプロピレン、ポリエチレンを主成分としたオレフィン系樹脂などの熱可塑性合成樹脂が挙げられる。
【００２６】
上記床材２の貼着剤層２ｂは、粘着剤や接着剤を塗布して形成された層である。これらの貼着剤は、施工時に押圧した際、網状体２ｃが沈み込める（網状体２ｃの開口領域を通して床下地１側に向けて貼着剤層２ｂが部分的に押し出される）必要があるため、塗布した後にも粘弾性があったり、流動可能なものが用いられる。前者の粘着剤としては、アクリル系、ゴム系、シリコーン系などの粘着剤が使用され、特にアクリル系の粘着剤が好ましく使用される。これらの粘着剤で形成される貼着剤層２ｂの厚さは０．１〜３ｍｍの範囲内とするのがよく、特にアクリル系の粘着剤で形成される貼着剤層２ｂの場合は、０．２ｍｍ程度の厚さとするのが最適である。また、後者の接着剤としては、ウレタン系、エポキシ系、変成シリコーン系、酢酸ビニル系、アクリル系などの接着剤が使用され、特にウレタン系の接着剤が好ましく使用される。これらの接着剤で形成される貼着剤層２ｂの厚さは０．２〜３ｍｍの範囲内とするのがよく、特にウレタン系の接着剤で形成される貼着剤層２ｂの場合は、２ｍｍ程度の厚さとするのが最適である。
【００２７】
上記床材２の貼着剤層２ｂの下面に露出して設けられる網状体２ｃは、床材２の貼着強度を調節する役目と、水分、揮発溶剤、反応ガスなどの通り道を形成する役目と、床材２を剥がすときに貼着剤が床下地１に残らないようにする役目と、床材２を剥がすときに破れないように床材２を補強する役目を果たすものであって、例えば、多数の開口２１ｃを一定の配列パターンで形成した合成樹脂製の網状シート（網状フィルムを含む）や、合成樹脂製繊維、有機繊維、無機繊維などの繊維（網糸）のいずれかで製網したネットなどが使用される。前者の網状シートの材料樹脂としては、塩化ビニル樹脂、アクリル樹脂、ポリエチレンテレフタレートなどのエステル系樹脂、ポリエチレン、ポリプロピレンなどのオレフィン系樹脂など適しており、特にポリプロピレンが好ましく使用される。
【００２８】
本実施形態の床材２に使用された網状体２ｃは、図３に示すような正方形の開口２１ｃが縦横に配列して形成されたポリプロピレン製の網状シートであって、開口２１ｃの一辺の長さが２〜５０ｍｍ程度（好ましくは５〜１０ｍｍ程度）、開口と開口の相互間隔（即ち非開口領域に相当する網線の幅寸法）が１〜５０ｍｍ程度（好ましくは２〜１０ｍｍ程度）、シートの厚さが０．３〜３ｍｍ程度（好ましくは０．５〜１ｍｍ程度）のものである。この網状シート２ｃは、開口２１ｃの一辺の長さと開口の相互間隔に依存して、網状シート２ｃに占める開口２１ｃの面積比率（開口率）が種々異なるが、本実施形態の床材２では、ＪＩＳ  Ａ  ５５３６に基づいて９０°剥離試験を行い、床材２の貼着強度（剥離強度）が１０〜７０Ｎ／２５ｍｍ、好ましくは２０〜４０Ｎ／２５ｍｍの範囲内に納まるような、開口２１ｃの面積比率（開口率）を有する網状シート２ｃと、貼着剤層２ｂの貼着剤の種類を選定し、これによって常時（使用時）は床材２の剥離や捲れ上がりを生じないが、リニューアル時（貼替え時）には床材２を容易に剥がすことができるようにしている。
【００２９】
網状体２ｃの開口２１ｃの形状は正方形に限定されるものではなく、正三角形、正六角形、正八角形などの正多角形や、二等辺直角三角形、長方形、菱形、円形、楕円形など、種々の形状とすることができる。また、開口２１ｃの配列パターンも縦横の配列パターンに限定されることなく、斜列や千鳥の配列パターンなど、種々の配列パターンとすることができる。
【００３０】
一方、網状体２ｃが合成樹脂繊維などで製網したネットである場合は、繊維の交点（網糸の交点）を熱融着等や緊結することで結節したネットは勿論、繊維の交点を結節していないネットを使用してもよく、開口２１ｃの一辺の長さが２〜５０ｍｍ程度（好ましくは５〜１０ｍｍ程度）、繊維太さが０．２〜２ｍｍ程度（好ましくは０．３〜１ｍｍ）とすればよい。また、ネットの開口（網目）の形状も、正方形、長方形、正三角形、菱形、正六角形など、所望の形状とすることができる。
【００３１】
いずれの網状体２ｃを用いる場合でも、上記のように、ＪＩＳ  Ａ  ５５３６に基づく９０°剥離試験で床材２の貼着強度（剥離強度）が１０〜７０Ｎ／２５ｍｍ、好ましくは２０〜４０Ｎ／２５ｍｍの範囲内に納まるように、網状体２ｃの開口率と貼着剤層２ｂの貼着剤の種類を選定することが大切である。
【００３２】
以上のような床構造は、床材２の床下地１に対する貼着強度が網状体２ｃによって適切に調節されているため、床材２の剥離や床材２端縁部の捲れ上がりを防止することができ、床をリニューアルするときには床材２を容易に剥がすことができる。また、床材２の粘着剤層２ｂの下面に網状体２ｃが設けられていると、網状体２ｃによって床下地１側に貼着剤が残らないように綺麗に床材２を剥がすことができるようになり、しかも、床材２自体が網状体２ｃで補強されるため、引剥がし力で床材２を破ることなく、容易に剥がすことができるようになる。そして、床下地１から上昇する水分や、貼着剤層２ｂから揮発する溶剤、反応ガスなどは、網状体２ｃと床下地１との接触界面を通って外部へ放出されるので、床材２に部分的な膨れが生じることもなくなる。
【００３３】
また、この床構造は、床材２を床下地１に重ねて位置決めする最初の段階では、床材２の貼着剤層２ｂの下面に露出して設けられた網状体２ｃが貼着剤層２ｂと床下地１との間に介在して、貼着剤層２ｂが床下地１と実質的に非接触状態であるため、床材２の位置決め作業や皺延ばし作業を容易に行うことができる。そして、床材２を上から押圧し、貼着剤層２ｂから網状体２ｃの開口２１ｃを通って床下地１側に押出した貼着剤２１ｂを床下地１に貼着させるだけで、簡単に床材２を貼付けることができるので、施工性が極めて良好である。
【００３４】
図４は本発明に係る床構造の他の実施形態を示す部分断面図、図５は同実施形態の床構造の床材を貼付ける前の状態を示す分解部分断面図、図６は貼着性改良シートを床下地に残して床材を剥がした状態を示す同実施形態の床構造の分解部分断面図である。
【００３５】
図４に示す実施形態の床構造は、床下地１の表面に貼着性改良シート１ａが床用接着剤１ｂで接着固定され、床材２０の網状体２ｃが貼着性改良シート１ａに接触すると共に、床材２０の貼着剤層２ｂの貼着剤２１ｂが網状体２ｃの開口を通して貼着性改良シート１ａに貼着した構造となっている。
【００３６】
この床構造に使用される床材２０は、図５に示すように、床材本体２ａと、この床材本体２ａの下面に設けられた貼着剤層２ｂと、この貼着剤層２ｂの下面に露出して設けられた網状体２ｃと、この網状体２ｃの下面に設けられた貼着性改良シート１ａとを備え、この貼着性改良シート１ａが網状体２ｃの開口を通して貼着剤層２ｂから押し出された貼着剤２１ｂで貼着されたものである。
【００３７】
貼着性改良シート１ａは、床下地１の表面状態が不良で貼着性に劣っている場合や、床下地１が材質の関係で貼着性に劣っている場合に、床下地１の貼着性を改善する役目を果たすものであって、床材２０の貼着剤層２ｂの貼着剤との貼着性が良好な合成樹脂やゴムのシート（フィルムを含む）、金属の薄板などが使用される。合成樹脂のシートとしては、ウレタン系や塩化ビニル系のシートや、ＦＲＰのシートなどが用いられ、特にウレタン系のシートが好ましく使用される。貼着性改良シート１ａの厚みは特に限定されないが、０．５〜３ｍｍの範囲内であることが好ましく、特にウレタン系のシートの場合は、２ｍｍ程度とするのが最適である。
【００３８】
なお、床材２０の床材本体２ａ、貼着剤層２ｂ、網状体２ｃは、前述した床材２の床材本体２ａ、貼着剤層２ｂ、網状体２ｃと同じものであるので、説明を省略する。
【００３９】
貼着性改良シート１ａを床下地１に接着固定する床用接着剤１ｂとしては、一液反応型ウレタン系接着剤、一液反応型変成シリコーン系接着剤、二液反応型ウレタン系接着剤、二液反応型エボキシ系接着剤などが好適に用いられ、なかでも一液反応型ウレタン系接着剤が施工性や耐水性などの点で好ましく用いられる。これらの床用接着剤１ｂは、ＪＩＳ  Ａ  ５５３６に基づいて床材の９０°剥離試験を行ったときに、接着強度（剥離強度）が２０〜１００Ｎ／２５ｍｍ、好ましくは２０〜７０Ｎ／２５ｍｍの範囲内に納まるものを選定することが重要である。
【００４０】
上記の床用接着剤１ｂは、櫛目ごてを用いて、床用接着剤１ｂの凸条が櫛目状に形成されるように床下地１に塗布することが好ましく、その場合、床用接着剤１ｂの凸条の高さ（施工後の高さ）が０．２〜３ｍｍ、凸条の幅が１〜３ｍｍ、凸条の相互間隔が１〜５ｍｍとなるように塗布することが好ましい。本実施形態では、床用接着剤１ｂの凸条の高さが２ｍｍ、凸条の幅が２ｍｍ、凸条の相互間隔が３ｍｍとなるように塗布している。
【００４１】
図４，図５に示す実施形態の床構造は、床下地１に床用接着剤１ｂを櫛目状の凸条が形成されるように塗布した後、その上に床材２０を重ねて上方から押圧し、床材２０の貼着性改良シート１ａを床下地１に接着固定して施工されたものであり、貼着性改良シート１ａによって床下地１の貼着性を改善できるため、床下地１の表面状態が不良で貼着性に劣っている場合や、床下地１が材質の関係で貼着性に劣っている場合に、有用な床構造である。更に、床材本体２ａと貼着性改良シート１ａとが併用されることにより、二重防水構造となるため、雨がかりとなる屋外での床においては防水性の観点からも極めて有効な構造できるといえる。
【００４２】
この床構造は、床下地１に床用接着剤１ｂを塗布して貼着性改良シート１ａを接着固定した後、前述した床材２を貼付けて施工しても勿論よいが、本実施形態のように、床用接着剤１ｂを塗布した床下地１に床材２０を貼付けて施工すると、貼着性改良シート１ａの接着作業と床材２の貼付け作業を同時に行うことができるので、施工性が大幅に向上する利点がある。また、床をリニューアルするときは、床用接着剤１ｂによる貼着性改良シート１ａの接着強度の方が、網状体２ｃの開口２１ｃを通した貼着剤２１ｃによる貼着強度よりも大きいので、図６に示すように、床材２０が網状体２ｃと貼着性改良シート１ａとの界面で容易かつ綺麗に剥離し、貼着性改良シート１ａが床下地１の表面にそのまま残ることになる。従って、この貼着性改良シート１ａの上に前述した床材２を重ねて上から押圧するだけで、効率良く床材の貼替えを行うことができる。
【００４３】
図７は本発明に係る床構造の更に他の実施形態を示す部分断面図であって、この床構造は、床材貼付けの障害物となるエアコン室外機３が持上げ可能に設置されたバルコニーや廊下などの床下地１に、床材２，他の床材２２を貼付けたものである。  
【００４４】
即ち、床下地１の障害物設置箇所（エアコン室外機設置箇所）とその周辺箇所（障害物設置箇所の周囲であって、概ね前記箇所の数ｃｍから数十ｃｍの範囲）では、前述した床材本体２ａと、その下面に設けられた貼着剤層２ｂと、その下面に露出して設けられた網状体２ｃとを備えた床材２が使用され、網状体２ｃが床下地１に接触すると共に、貼着剤層２ｂの貼着剤が網状体２ｃの開口を通して床下地１に貼着して、該床材２が貼付けられている。そして、床下地１のその他の箇所では、従来の合成樹脂製の他の床材２２が床用接着剤１ｂで貼付けられており、床材２と他の床材２２，２２との継目部分が合成樹脂製溶接棒やシーリング材などの封止材４で封止されている。
【００４５】
このような床構造は、床材２自体が前述のように位置決め作業、貼付け作業、剥がし作業の容易なものであるから、障害物であるエアコン室外機３を一時的に持上げ（吊上げ）たまま、該床材２を床下地１の障害物設置箇所及びその周辺箇所に素早く位置決めして貼付けたり、素早く綺麗に剥がしたりすることが可能となり、従来の要望に応えることができる。そして、この床構造は、従来のように障害物の設置された床下地１全体に合成樹脂製の他の床材２２を床用接着剤で接着する場合に比べて、施工性が全体的に向上する利点があり、また、床材２と他の床材２２との継目部分が封止材４で封止されているので、雨水等が継目部分から床下地１へ浸透する心配も生じない。
【００４６】
以上の実施形態の床構造では、床材の端縁処理をしていないが、必要に応じて合成樹脂製溶接棒やシーリング材で床材の端縁を封止し、床材の端縁の捲れ上がりや、床材裏面側への雨水等の浸入を確実に防止してもよいことは言うまでもない。
【符号の説明】
【００４７】
１    床下地
１ａ  貼着性改良シート
１ｂ  床用接着剤
２，２０  床材
２２  他の床材
２ａ  床材本体
２ｂ  貼着剤層
２１ｂ  網状体の開口を通して押し出された貼着剤
２ｃ  網状体
２１ｃ  開口
３    エアコン室外機（障害物）
４    封止材
【図１】
2012158899.tif 000003
【図２】
2012158899.tif 000004
【図３】
2012158899.tif 000005
【図４】
2012158899.tif 000006
【図５】
2012158899.tif 000007
【図６】
2012158899.tif 000008
【図７】
2012158899.tif 000009